(57)【要約】  【課題】いびつな形状に形成されたカプセルにおいて、嚥下性、及び目的観察部位までの導入性の向上を図ったカプセル型超音波内視鏡を提供すること。  【解決手段】超音波カプセル１のカプセル部２は、カプセル本体３、端部を半球状に形成した本体カバー４及び振動子カバー５を備えて構成されている。カプセル本体３には、振動子カバー５を覆い包むようにバルーン３１が配設されている。バルーン３１内には、二点鎖線に示すように膨らんだ状態になるように、超音波伝達媒体７が注入されている。カプセル部２には、バルーン３１を覆い包むように膜部３３ａを備えるカプセル被覆部３３が設けられている。バルーン３１が設けられたカプセル部２の外形形状は、カプセル被覆部３３をカプセル部２に設けたことによって、嚥下性に適した細長なカプセル形状に規制されている。【選択図】図１
2006247288.tif 000002
【特許請求の範囲】
【請求項１】
体腔内に導入されるカプセル部に超音波を送受信する超音波トランスデューサを備えたカプセル型超音波内視鏡において、
前記カプセル部の外表面に、体腔内において溶解する基材で構成されるカプセル被覆部を設けたことを特徴とするカプセル型超音波内視鏡。
【請求項２】
前記カプセル被覆部はカプセル部の外形形状を変形させるように設けられ、
前記カプセル部は、嚥下時点から目的観察部位到達時までの間、外形を導入を優先する形状に保持され、目的観察部位到達時においては外形が観察を行う元の形状に変化することを特徴とする請求項１に記載のカプセル型超音波内視鏡。
【請求項３】
前記カプセル被覆部は、可食性皮膜であることを特徴とする請求項１に記載のカプセル型超音波内視鏡。
【請求項４】
前記カプセル被覆部を構成する可食性皮膜は、胃内において溶ける胃溶性基材、胃内で溶けることなく腸内において溶ける腸溶性基材、又は、胃内及び小腸内で溶けることなく大腸内において溶融する大腸溶性基材で構成されることを特徴とする請求項３に記載のカプセル型超音波内視鏡。
【請求項５】
前記カプセル被覆部の外表面に、胃内で溶けることなく腸内において溶ける腸溶性基材、又は、胃内及び小腸内で溶けることなく大腸内において溶融する大腸溶性基材で構成されるコーティング用膜を設けたことを特徴とする請求項３に記載のカプセル型超音波内視鏡。
【請求項６】
前記カプセル部の外周面に超音波伝達媒体が注入されたバルーンが装着される構成において、
前記カプセル部に設けられる前記カプセル被覆部は、前記超音波伝達媒体が注入されたバルーンを覆い包んで、該カプセル部の外形形状を導入を優先する形状に変形されることを特徴とする請求項１又は請求項５に記載のカプセル型超音波内視鏡。
【請求項７】
前記カプセル部に設けられる前記カプセル被覆部は、前記バルーンを全体に渡って被覆するバルーン保護部材を兼ねることを特徴とする請求項６に記載のカプセル型超音波内視鏡。
【請求項８】
前記カプセル部の外表面に凹凸部を有する構成において、
前記カプセル被覆部は、前記カプセル部の凹凸部を覆い包むように配設されて、該カプセル部の外形形状を導入を優先する形状に変形されることを特徴とする請求項１又は請求項５に記載のカプセル型超音波内視鏡。
【発明の詳細な説明】
【技術分野】
【０００１】
本発明は、超音波を送受信する超音波トランスデューサをカプセル部に備えたカプセル型超音波内視鏡に関する。
【背景技術】
【０００２】
従来より、医療用に構成したカプセル部を体腔内に導入して、体腔内の病変部の情報を収集したり、薬液を投与したりする医療方法が知られている。近年においては、医療用に構成したカプセル部を体腔内に送り込んで、体腔内の画像を取得するカプセル型の内視鏡が実用化されつつある。
【０００３】
また、観測用超音波信号を生体組織に出射し、その生体組織から反射するエコー信号を取得することによって、診断用の超音波断層画像を構築する超音波診断装置においても、細径な超音波プローブでも診断が困難な部位の超音波診断を可能にする医療用カプセルが特開２００２−３０６４９１号公報に提案されている。この医療用カプセルにおいては、超音波振動子が設けられているカプセルの外周囲に超音波伝達媒体である水等を封入したバルーンが装着されている。
【特許文献１】特開２００２−３０６４９１号公報
【発明の開示】
【発明が解決しようとする課題】
【０００４】
しかしながら、前記２００２−３０６４９１号公報の医療用カプセルにおいて、カプセル外周囲に装着されたバルーンは、目的観察部位の管腔壁に密着するように予め所定状態に膨脹されている。したがって、この医療用カプセルでは、カプセル外周囲に装着されたバルーンが該カプセルの外周に対して突出した状態になっている。言い換えれば、嚥下性を考慮して形作られたカプセルにバルーンを装着したことによって、医療用カプセルがいびつな形状にされて、嚥下性が低下するという不具合が生じる。
【０００５】
本発明は上記事情に鑑みてなされたものであり、いびつな形状に形成されたカプセルにおいて、嚥下性、及び目的観察部位までの導入性の向上を図ったカプセル型超音波内視鏡を提供することを目的にしている。
【課題を解決するための手段】
【０００６】
本発明のカプセル型超音波内視鏡は、体腔内に導入されるカプセル部に超音波を送受信する超音波トランスデューサを備えたカプセル型超音波内視鏡において、
前記カプセル部の外表面に、体腔内において溶解する基材で構成されるカプセル被覆部を設けている。
【０００７】
この構成によれば、カプセル部の外表面にカプセル被覆部を設けるとき、カプセル部の外形形状を所定形状に形作ることによって、嚥下性及び導入性の向上を図れる。また、目的観察部位に到達した時点においてはカプセル被覆部が溶けて超音波診断のためのエコー信号の取得を行っている。
【発明の効果】
【０００８】
本発明によれば、いびつな形状に形成されたカプセルにおいて、嚥下性、及び目的観察部位までの導入性の向上を図ったカプセル型超音波内視鏡を実現できる。
【発明を実施するための最良の形態】
【０００９】
以下、本発明の実施の形態を図面を参照して説明する。  
図１ないし図４は本発明の第１実施形態に係り、図１はカプセル型超音波内視鏡の構成を説明する図、図２はカプセル型超音波内視鏡の作用を説明する図、図３はカプセル被覆部の他の構成例を説明する図、図４はカプセル型超音波内視鏡の応用例を説明する図である。
【００１０】
図１に示すようにカプセル型超音波内視鏡（以下、超音波カプセルと略記する）１のカプセル部２は、例えば円柱状のカプセル本体３、端部を半球状に形成した本体カバー４及び振動子カバー５を備えて構成されている。カプセル本体３及び本体カバー４は生体適合性を有する硬質な樹脂部材で形成されている。これに対して、振動子カバー５は低密度ポリエチレンやポリメチルペンテン等の超音波透過性を有する樹脂部材で形成されている。
【００１１】
カプセル部２を構成する、カプセル本体３と振動子カバー５とで主に形成された空間部６内には、流動パラフィン、脱気水、カルボキシメチルセルロース水溶液等の超音波伝達媒体７が充填されている。
【００１２】
カプセル部２内には超音波トランスデューサである機械走査式の超音波振動子１１等を有して構成された超音波ユニット１０、電力供給のためのバッテリ２１、制御部２２、外部装置である超音波観測装置（不図示）との間で無線送信を行う無線送受信部２３、超音波ユニット１０を構成する超音波振動子１１を回転させる駆動モータ２４等が配設されている。
【００１３】
超音波ユニット１０は、超音波振動子１１、振動子シャフト１３を有する振動子固定部材１２、Ｏリング１４、回転型信号伝達手段であるスリップリング１５、エンコーダ１６等によって構成されている。超音波振動子１１は、振動子固定部材１２に設けられている固定部１７に一体的に固定されている。
【００１４】
超音波振動子１１は、超音波信号を出射するとともに、超音波診断断層画像を構築するためのエコー信号を取得する。超音波振動子１１からは入出力信号用ケーブル（不図示）が延出している。この入出力信号用ケーブルは、スリップリング１５のリング部（不図示）、このリング部に電気的に接触する金属ブラシ（不図示）を経て、このスリップリング１５の入力側及び出力側のケーブル（不図示）にそれぞれ電気的に導通されている。
【００１５】
振動子シャフト１３は、スリップリング１５に設けられた例えばボールベアリング（不図示）によって超音波カプセル１の長手方向中心軸と略同心で回転可能に軸支されている。Ｏリング１４は、振動子シャフト１３を保持するとともに、この振動子シャフト１３の外周面及びユニット配置孔３ａの内周面に密着して液密を確保する構成になっている。
【００１６】
振動子固定部材１２に一体的に固定された超音波振動子１１は駆動モータ２４によって超音波カプセル１の長手方向中心軸に対して回転される。したがって、超音波振動子１１から出射される超音波は、該長手方向中心軸に対して略直交する方向に出射される。超音波振動子１１の回転角はエンコーダ１６によって検出される。
【００１７】
制御部２２には回転する超音波振動子１１の回転を検出するエンコーダ１６と電気的に接続された回転検出回路（不図示）、スリップリング１５を介して超音波振動子１１との間で超音波信号の送受信を行わせる超音波送受信回路（不図示）、この送受信回路からの受信信号を処理する信号処理回路（不図示）、この信号処理回路によって処理された超音波断層画像信号に対して所定の処理を施して無線送受信部２３から超音波観測装置に向けて超音波断層画像信号等を送信する無線送信回路（不図示）等が設けられている。これら回路にはバッテリ２１からの電力が供給されるようになっている。
【００１８】
一方、カプセル本体３の外周面所定位置には、振動子カバー５を覆い包むように超音波伝達手段であるバルーン３１が配設されている。バルーン３１は超音波透過性を有する膨縮自在な弾性部材で形成されており、バルーン３１内には、該バルーン３１が二点鎖線に示すように径方向に膨らんだ状態になるように、所定量の超音波伝達媒体７が注入されている。バルーン３１の開口側端部は、例えば糸巻き接着部３２によってカプセル本体３に一体的に固定されている。
【００１９】
さらに、カプセル部２には、バルーン３１を覆い包むように例えばセルロース等の可食性皮膜で構成された膜部３３ａを備えるカプセル被覆部３３が設けられている。バルーン３１が設けられたカプセル部２の外形形状は、カプセル被覆部３３を前記カプセル部２に設けたことによって、嚥下性に適した細長なカプセル形状に形作られている。言い換えれば、カプセル被覆部３３でバルーン３１を覆い包むことによって、径方向に膨らんだ状態になるバルーン３１がカプセル部２の外周面に対して突出していびつな形状になることを規制している。
【００２０】
なお、超音波カプセル１で例えば、小腸以降の超音波観察を行う場合、カプセル被覆部３３を、所定厚みに形成した膜部３３ａと、この膜部３３ａの外表面を覆う胃内で溶けることなく腸内において溶ける腸溶性基材で所定厚みに形成した腸溶性膜からなるコーティング用膜３３ｂとで構成する。腸溶性基材としては、例えばメタクリル酸コポリマー、ヒドロキシブロピルメチルセルコースフタレート等である。
【００２１】
一方、超音波カプセル１が例えば、大腸付近の超音波観察を行うタイプである場合には、カプセル被覆部３３を、膜部３３ａと、この膜部３３ａを覆う胃内及び小腸内で溶けることなく大腸内において溶ける大腸溶性基材で所定厚みに形成した大腸溶性膜からなるコーティング用膜３３ｂとで構成する。大腸溶性基材としては、例えばキトサン等である。
【００２２】
上述のように構成した超音波カプセル１の作用を説明する。  
まず、術者は、小腸付近の超音波診断を行うため、超音波伝達媒体７が注入されたバルーン３１を装着した超音波カプセル１を用意する。この超音波カプセル１においては、バルーン３１が、膜部３３ａと、この膜部３３ａを覆う腸溶性膜からなるコーティング用膜３３ｂとを備えて構成されたカプセル被覆部３３によって所定形状に形作られている。
【００２３】
次に、術者は、例えば図示しない超音波観測装置に設けられているスイッチを操作して超音波カプセル１を動作状態にする。その後、被検者によって超音波カプセル１が嚥下される。すると、嚥下された超音波カプセル１が、蠕動運動によって食道を移動していく。そして、術者は、所定時間経過後、超音波観測装置から超音波カプセル１に向けて駆動モータ１２の駆動を指示する駆動信号及び超音波振動子１１の駆動を指示する駆動信号を出力する。そして、これら駆動信号が超音波カプセル１に設けられた無線送受信部２３で受信されることによって、超音波振動子１１が回転を開始するとともに超音波信号が出射されてラジアル方向の超音波走査が開始される。
【００２４】
ここで、超音波カプセル１が胃内を通過して小腸内に到達していた場合には、図２に示すようにカプセル皮膜部３３を構成するコーティング用膜３３ｂと、膜部３３ａとが溶解されていることによって、バルーン３１に対する規制が解除される。したがって、バルーン３１はカプセル部２の外周面から突出した状態になって、該バルーン３１の外表面が腸壁に密着した状態になる。このため、超音波振動子１１から出射された超音波信号が腸壁内に到達して、超音波観測装置の画面（不図示）上に腸部分の超音波断層画像が表示される。
【００２５】
この後、バルーン３１が腸壁に密着した状態の超音波カプセル１が管腔内を蠕動運動によって移動していく。このことにより、超音波カプセル１の無線送受信部２３から超音波観測装置に向けて連続的に超音波断層画像信号等が送信される。
【００２６】
これに対して、超音波カプセル１が胃内を通過している状態であった場合には、カプセル部２に設けられたカプセル被覆部３３にコーティング用膜３３ｂのコーティングが施されているため、膜部３３ａは溶解されることなく、バルーン３１を覆い包んだ状態を保持している。したがって、前記超音波観測装置に備えられている画面上には超音波断層画像が表示されない。その後、超音波カプセル１が胃内を通過して小腸内に到達すると、前記図２に示すようにカプセル皮膜部３３が溶解されてバルーン３１の外表面が腸壁に密着した状態になる。
【００２７】
このように、カプセル部に超音波伝達媒体が予め注入された状態のバルーンが装着された超音波カプセルにおいて、カプセル部にカプセル被覆部を設けてバルーンを覆い包んでバルーンを装着したカプセル部の外形形状を嚥下性を考慮した細長なカプセル形状に形作ることによって、被検者はバルーンを備えた超音波カプセルを容易に嚥下することができる。
【００２８】
また、バルーンを覆い包んで該バルーンを装着したカプセル部を嚥下性を考慮した細長なカプセル形状に形作るカプセル被覆部を、膜部と、この膜部が目的観察部位に到達するまでの間に溶解することを阻止する基材で構成されたコーティング用膜部材とで構成することによって、超音波カプセルが目的観察部位に到達するまでの間、カプセル被覆部によってカプセル部の外形形状を所定形状に規制して、超音波カプセルの嚥下性及び導入性を大幅に向上させることができる。
【００２９】
そして、超音波カプセルが目的観察部位に到達したときには、コーティング用膜部材を含むカプセル被覆部が溶解されることによって、超音波カプセルによる観察を行うことができる。
【００３０】
これらのことによって、バルーンを装着した超音波カプセルにカプセル被覆部を設けてカプセル部の外形形状を所定形状に形成することによって、目的観察部位に到達するまでバルーンが設けられたカプセル部が所望の形状に規制されて、バルーン付超音波カプセルを速やかに目的観察部位に到達させた後、速やかにバルーンを管腔壁に密着する所望の膨脹状態に変化させて、超音波診断断層画像を構築するためのエコー信号の取得を行える。
【００３１】
なお、前記図１に示したようにカプセル被覆部３３によってバルーン３１を覆い包んでバルーン３１を設けたカプセル部２を所定形状に形成する代わりに、図３に示す超音波カプセル１においてはカプセル被覆部３３でバルーン３１全体を被覆している。この膜部３３ａにおいて、基材を適宜選択して、該膜部３３ａを硬めに構成している。
【００３２】
このことによって、バルーン３１が露出状態になることが防止されると共に、バルーン３１を被覆する膜部３３ａの硬度を増大されて、バルーン３１が外的要因で破裂されることを防止することができる。つまり、カプセル被覆部３３は、バルーン保護部材を兼用している。
【００３３】
また、図４に示すように超音波カプセル１Ｂにおいては、カプセル本体３と振動子カバー５とで主に形成された空間部６内に充填される超音波伝達媒体を不凍性のオイル７ａとする一方、バルーン３１内に充填される超音波伝達媒体を脱気水７ｂとしている。そして、この超音波カプセル１Ｂにおいては、少なくとも使用間においては、ケース体（不図示）に設置した状態で冷凍庫内に収められる。
【００３４】
超音波カプセル１Ｂを使用して超音波診断を行う際、術者は冷凍庫からケース体に設置されている超音波カプセル１Ｂを取り出す。その後、ケース体から超音波カプセル１Ｂを取り外す。すると、図４に示すようにバルーン３１内の脱気水７ｂが凍っていることによって、バルーン３１を備えた超音波カプセル１Ｂが所定形状である細長なカプセル形状に形作られる。
【００３５】
このように、バルーン３１内に充填される超音波伝達媒体を脱気水にして、使用前のバルーン付の超音波カプセル１Ｂをケース体に設置して冷凍庫内で保管することによって、バルーン付超音波カプセルの外形形状を容易に所望の形状に構成することができる。
【００３６】
また、本構成において、脱気水７ｂを凍らせたバルーン３１を被覆する、又は覆い包むように一点鎖線に示すようなカプセル被覆部３３を設けることによって、被検者が超音波カプセル１Ｂを嚥下する際、温度が低下していることによる違和感を緩和させることができるとともに、上述した実施形態と同様に移動中に解凍されたバルーン３１を目的観察部位において膨脹した状態に復帰させることができる。
【００３７】
さらに、超音波トランスデューサは前述したように機械走査式のものに限定されるものではなく、複数のトランスデューサ素子で構成したアレイ型振動子を、カプセル部に所定状態に配列して、電子スイッチによって順次駆動されて超音波を出射する電子走査式であってもよい。
【００３８】
図５は本発明の第２実施形態にかかるカプセル型超音波内視鏡の他の構成を説明する図である。  
図に示すように本実施形態の超音波カプセル１Ｃは前記超音波ユニット１０に加えて、内視鏡ユニット４０を備えている。内視鏡ユニット４０は、光軸がカプセル長手方向軸に対して傾斜してカプセル長手方向軸の斜め前方を観察する斜視型観察光学部（以下、斜視光学部と略記する）４１と、斜視用照明部（不図示）とを備えたものである。
【００３９】
超音波カプセル１Ｃのカプセル部２Ａは、例えば円柱状のカプセル本体３Ａと、端部を曲面で形成した本体カバー４Ａ及び斜視光学部４１より先端側に突出するように構成された超音波用カバー５Ａを備えて構成されている。このため、本実施形態の超音波カプセル１Ｃにおいては、カプセル部２Ａの外表面に凹凸部８が形成される。
【００４０】
カプセル本体３Ａと超音波用カバー５Ａとによって主に構成される空間部６内には超音波伝達媒体７が充填されている。カプセル本体３Ａ及び本体カバー４Ａは生体適合性を有する硬質な樹脂部材で形成され、振動子カバー５Ａは超音波透過性を有する樹脂部材で形成されている。
【００４１】
超音波カプセル１Ｃを構成するカプセル部２Ａの外表面に形成された凹凸部８には、このカプセル部２Ａの外形形状をカプセル形状に形作るカプセル被覆部３３Ａが設けられている。このカプセル被覆部３３Ａは、例えば超音波透過性を有する胃溶性基材である例えばゼラチンで構成されている。
【００４２】
カプセル本体３Ａの正面側側部には例えば斜視光学部４１を挟んで一対の斜視用照明部（不図示）が設けられている。カプセル本体３Ａには屈曲部を有する斜視光学用孔４２及び照明用孔（不図示）が形成されている。照明用孔には例えばＬＥＤ照明（不図示）を備えた照明光学系が配設され、斜視光学用孔４２には斜視光学部４１を構成する、レンズカバー４３、リレーレンズ４４、及び撮像面を有する撮像素子４５が配設されている。
【００４３】
レンズカバー４３は正面側部に配設されている。リレーレンズ４４は、レンズカバー４３の光軸上であってカプセル長手方向軸に対して平行に配置されている。撮像素子４５の撮像面にはリレーレンズ４４を通過した光学像が結像する。
【００４４】
なお、符号４６ａはレンズカバー４３及びリレーレンズ４４を保持する第１枠体、符号４６ｂはリレーレンズ４４及び撮像素子４５を保持する第２枠体、符号４７は撮像素子４５が配設される撮像素子基板である。また、カプセル本体３Ａに形成されているユニット配置孔３ｂには、前記Ｏリング１４、スリップリング１５、エンコーダ１６、駆動モータ２４に加えて超音波制御部２５、及び内視鏡制御部２６が配設されている。
【００４５】
超音波制御部２５には前記制御部２２と同様の作用をする、回転する超音波振動子１１の回転を検出するエンコーダ１６と電気的に接続された回転検出回路（不図示）、スリップリング１５を介して超音波振動子１１との間で超音波信号の送受信を行わせる超音波送受信回路（不図示）、この送受信回路からの受信信号を処理する信号処理回路（不図示）、この信号処理回路によって処理された超音波断層画像信号に対して所定の処理を施して無線送受信部２３から超音波観測装置に向けて超音波断層画像信号等を送信する無線送信回路（不図示）等が設けられている。
【００４６】
一方、内視鏡制御部２６には撮像素子４５の撮像面に結像した光学像を画像信号に変換する画像処理回路や、撮像素子４５を駆動する駆動信号を生成する信号処理回路や、内視鏡観察装置（不図示）から送信された各種制御信号に基づいて各部を所定制御する制御回路等が設けられている。
【００４７】
したがって、本実施形態の超音波カプセル１Ｃが体腔内に導入されている状態において、術者が内視鏡観察装置を操作して、超音波カプセル１Ｃに向けて観察指示信号等を発信させると、内視鏡制御部２６の制御の元、斜視用照明部のＬＥＤ照明が発光状態になるとともに、斜視光学部４１の撮像素子４５が撮像状態になる。
【００４８】
撮像素子４５の撮像面に結像された光学像は、電気信号に変換された後、内視鏡制御部２６の画像処理回路で画像信号に生成され、その後、無線送受信部２３を介して内視鏡観察装置に向けて送信される。内視鏡観察装置に送信された画像信号は、例えばこの内視鏡観察装置に設けられている表示装置（不図示）に出力される。
【００４９】
上述のように構成した超音波カプセル１Ｃの作用を説明する。  
まず、術者は、胃内の超音波診断と内視鏡観察を行うため、超音波カプセル１Ｃを用意する。超音波カプセル１Ｃにおいては、凹凸部８にカプセル被覆部３３Ａを設けて所定形状に形作られている。
【００５０】
次に、術者は、例えば図示しない超音波観測装置に設けられているスイッチを操作して超音波カプセル１を超音波診断状態にする。その後、被検者によって超音波カプセル１Ｃが嚥下される。すると、嚥下された超音波カプセル１Ｃが、蠕動運動によって食道を移動していく。このとき、超音波振動子１１から出射された超音波信号が超音波伝達媒体７、カプセル被覆部３３Ａを通過して食道周辺に到達する。このことによって、超音波観測装置の画面上に食道周辺の超音波断層画像が表示される。なお、食道通過中、超音波カプセル１Ｃに設けられているカプセル被覆部３３Ａは徐々に溶解していく。
【００５１】
次いで、術者は、超音波観測装置の画面上に表示される食道周辺の超音波断層画像を観察して、超音波カプセル１Ｃが胃に到達したか否かを判断する。そして、術者は、超音波カプセル１Ｃが胃に到達したと判断したなら、被検者に胃内に超音波伝達媒体である脱気水を所望量供給するため、脱気水の飲み下しを行わせるとともに、内視鏡観察装置に設けられているスイッチを操作して超音波カプセル１を内視鏡観察状態にする。
【００５２】
胃内に脱気水が溜まった状態になることによって、超音波カプセル１Ｃに設けられているカプセル被覆部３３Ａが速やかに溶解されて、内視鏡観察装置の画面上に胃内の内視鏡画像が表示されるとともに、超音波観測装置の画面上に、胃壁越しの超音波断層画像が表示されて、観察部位表面の内視鏡観察及び観察部位深部の超音波観察とを行える。
【００５３】
このように、超音波カプセルのカプセル部に設けられた凹凸部にカプセル被覆部を設けて、カプセル部の外表面を滑らかで嚥下性を考慮した形状に形作ることによって、被検者はカプセル部の表面に凹凸部を有するいびつな形状の超音波カプセルを容易に嚥下することができる。
【００５４】
なお、本発明は、以上述べた実施形態のみに限定されるものではなく、発明の要旨を逸脱しない範囲で種々変形実施可能である。
【図面の簡単な説明】
【００５５】
【図１】図１ないし図４は本発明の第１実施形態に係り、図１はカプセル型超音波内視鏡の構成を説明する図
【図２】カプセル型超音波内視鏡の作用を説明する図
【図３】カプセル被覆部の他の構成例を説明する図
【図４】カプセル型超音波内視鏡の応用例を説明する図
【図５】本発明の第２実施形態にかかるカプセル型超音波内視鏡の他の構成を説明する図
【符号の説明】
【００５６】
１…カプセル型超音波内視鏡（超音波カプセル）    ２…カプセル部    
３…カプセル本体    ４…本体カバー        ５…振動子カバー    ６…空間部    
７…超音波伝達媒体    ８…凹凸部    ３１…バルーン    ３３…カプセル被覆部
３３ａ…膜部    ３３ｂ…コーティング用膜
代理人    弁理士    伊藤  進
【図１】
2006247288.tif 000003
【図２】
2006247288.tif 000004
【図３】
2006247288.tif 000005
【図４】
2006247288.tif 000006
【図５】
2006247288.tif 000007